Podtech/llm-jp-corpus-v4-ja_patent huggingface dataset:
(57)【要約】【課題】  インデックスホルダーの取り付けと綴じ紐取り付けの２重に手間が掛かる。【解決手段】  本発明のインデックスホルダーを形成して取り付けることにより解消される。  又可燃素材を採用することに依り再生処理も可能となり、地球に優しいファイルが出来る。【選択図】  【図４】  
2005041104.tif 000002
【特許請求の範囲】
【請求項１】
透明素材の綴じ紐付きファイルの製作に於いて、綴じ紐の取り付け部と見出しインデックスの挿入部を一体形成したファイル。
【請求項２】
請求項１のインデックス部を背と表１の両者に同一取り付け材で可能としたファイル。
【請求項３】
インデックス部の下部に舌片を折り込む事により、インデックスの落下防止を可能としたファイル。  
【発明の詳細な説明】
【技術分野】
【０００１】
本発明は、ファイルに関するものである。
【背景技術】
【０００２】
従来のファィルは綴じ紐の取付け部は取付け部で表紙に固定し、見出し挿入部は挿入部で別々に背見出し入れポケットを溶着して形成している。
【０００３】
このために２倍以上の加工時間を必要となり、材料費、加工費もかさむ。
【０００４】
外側に薄い素材でインデックスポケットを付けていた為にインデックス挿入部が破れ易い欠点がある。
【０００５】
この改善策として、背と表１に跨って透視出来る一体式の綴じ紐装着部材を形成することにある。
【発明の開示】
【発明が解決しようとする課題】
【０００６】
背と表１に跨って透視出来る一体式の綴じ紐装着部材を形成することにある。
【課題を解決するための手段】
【０００７】
本発明の（１）の手段は図１の如き、背と表１に跨って透視出来る一体式の綴じ紐装着部材を形成することにある。
【発明の効果】
【０００８】
本発明の(２)の手段は上記(１)で形成されたる綴じ紐の取り付け部材を一本のヒートバーで表３の適宜の位置に溶着又は接着することにある。
【０００９】
本発明の(３)の手段は見出し入れホルダーの下部に折り込み式の記録紙脱落押さえを設けた点にある。これらの３つにより作業効率は倍増し、破損しにくいインデックスホルダーが形成できる。
【実施例１】
【００１０】
図１は本発明の実施形態（実施例）１のインデックス付き取り付け部材１のビク抜き内側正面図であり、図２は図１のビク抜きしたものを表紙に取り付け形態に折り曲げたる図であり、図３は図２のOP線の断面図である。
図４は本発明の部材を表紙の表３に取り付けたものにインデックスを挿入し、落下防止の舌片をEFGHとMNKHの長方形で形成される中に差し込んだ様子を示す斜視図である。
図５は図４の本発明インデックスホルダーのOP線の拡大した断面図である。
図６は本発明実施例１の使用状況の斜視図である。
【００１１】
図１は本発明の実施形態１のビク抜き正面図でEF、GH、IJ、KL、MNは折れ線であり、AB線にCD線を重ねた時に順次折り曲げた場合、EFにMNが重なりGHにKJが重
なって図２、３の如く逆コの字の形態になる様に取り付け部材１形成する。
この取り付け部材１には適宜の位置に綴じ紐通し穴Q、R、S、T等もビク抜き時に形成される様に設計する。
【００１２】
又折れ線EFを中心よりやや左に位置する場所にインデックス４を挿入し易くするために図１の如く３の半円形の切り込みを入れ、EF、GHで形成される長方形の下部にインデックス落下押さえの舌片２を図１の如く形成する。
【００１３】
前記の如くに形成されたシンデックス挿入ホルダーを兼ねたる綴じ紐取り付け部材１を図４の如くフアイル表紙の表３の適宜の位置にAB線の２mm程度左側の位置でAB線とCD線を重ねた状態で図４のAC、BDの如くに６の溶着線位置で溶着して固定し、インデックス４を挿入し、落下防止の舌片をEFGHとMNKHの長方形で形成される中に差し込んで完成する。
【００１４】
図５は図４のOP線の断面の拡大図で、インデックス４の差し込んだ様子を示す。
【００１５】
図６は本発明に依って完成したインデックス付きファイルの背側からの斜視図で背と表１からファイル内容のタイトルが判る。
【００１６】
本発明の実施例は背と表１側から透視できる２面のものであるが、当然背のみのものでも良い。
【産業上の利用可能性】
【００１７】
本発明を利用することに依り、透明系の表紙とインデックスホルダー、綴じ紐取り付け部が同一素材の物で製造出来、再生も可能となり、地球に優しいファイルが形成出来る。
【図面の簡単な説明】
【００１８】
【図１】本発明のインデックスホルダー１のビク抜き平面図である。
【図２】本発明のインデックスホルダー１のビク抜き後、折り曲げて形成した斜視図である。
【図３】本発明のインデックスホルダー１のOP線の断面図である。
【図４】本発明のインデックスホルダー１のを表紙の表３に取り付けインデックスを差し込んだ図である。
【図５】本発明のインデックスホルダー１にインデックス紙を挿入した状態のOP線の断面図である。
【図６】本発明のインデックスホルダー１のを表紙の表３に取り付けインデックスを挿入したファイルの背面斜視図である。
【符号の説明】
【００１９】
１  インデックスホルダー本体
２  落下防止差し込み舌片
３  インデックス差し込み指かけ切り込み
４  インデックス紙
５  表紙
６  溶着線
【図１】
2005041104.tif 000003
【図２】
2005041104.tif 000004
【図３】
2005041104.tif 000005
【図４】
2005041104.tif 000006
【図５】
2005041104.tif 000007
【図６】
2005041104.tif 000008
(57)【要約】【課題】  本発明は、片手で操作ができ、且簡単な構造として耐久性に優れた印鑑のキャップ装置を提供しようとするものである。【解決手段】  サヤの上端部に印鑑を設けて、印影部をキャップにより開閉自在としたものにおいて、サヤに設けたクリップに、互いに内側に伏勢している二股状のバネを取り付け、該バネの先端に設けた一対の離間した軸部には印鑑の印影部を開閉するキャップの軸受け部を嵌合して軸承し、軸受け部の両側縁はカムとなっていてバネの立ち上がり内側面に接触自在とし、このバネの内側面は、キャップの閉蓋時と開蓋時にはカムの谷部に位置し、開閉動作時にはカムの頂部を移動自在とした印鑑キャップ装置である。【選択図】  図１
2005041102.tif 000002
【特許請求の範囲】
【請求項１】
サヤの上端部に印鑑を設けて、印影部をキャップにより開閉自在としたものにおいて、サヤに設けたクリップに、互いに内側に伏勢している二股状のバネを取り付け、該バネの先端に設けた一対の離間した軸部には印鑑の印影部を開閉するキャップの軸受け部を嵌合して軸承し、軸受け部の両側縁はカムとなっていてバネの立ち上がり内側面に接触自在とし、このバネの内側面は、キャップの閉蓋時と開蓋時にはカムの谷部に位置し、開閉動作時にはカムの頂部を移動自在とした印鑑キャップ装置。
【発明の詳細な説明】
【技術分野】
【０００１】
本発明は印鑑付筆記具等のサヤに取り付ける印鑑のキャップ装置に関する。
【背景技術】
【０００２】
従来の印鑑付筆記具の印鑑のキャップとしては印鑑の使用毎に印鑑部分を覆うキャップを全部取り外して押捺するものとか、クリップに上下にスライドさせる操作部を設け、この操作部のスライドに従ってキャップを開閉させるものがある。
【０００３】
然し乍前者にあっては両方の手を使ってキャップの開閉操作をしなければならない不便があり、又後者にあっては構造が複雑でコスト高となる。
【発明の開示】
【発明が解決しようとする課題】
【０００４】
そこで本発明は、片手で操作ができ、且簡単な構造として耐久性に優れた印鑑のキャップ装置を提供しようとするものである。
【課題を解決するための手段】
【０００５】
本発明は、筆記具のサヤの上端部に印鑑を設けて、印影部をキャップにより開閉自在としたものにおいて、筆記具のサヤ部に設けたクリップに、互いに内側に伏勢している二股状のバネを取り付け、該バネの先端に設けた一対の離間した軸部には印鑑の印影部を開閉するキャップの軸受け部を嵌合して軸承し、軸受け部の両側縁はカムとなっていてバネの立ち上がり内側面に接触自在とし、このバネの内側面は、キャップの閉蓋時と開蓋時にはカムの谷部に位置し、開閉動作時にはカムの頂部を移動自在とした印鑑付筆記具の印鑑キャップ装置である。
【発明の効果】
【０００６】
本発明の効果として、印鑑のキャップの開閉を片手ででき、しかも簡単な構造で耐久性に富み安価に提供でき、しかも組立作業が迅速にできる。
【発明を実施する為の最良の形態】
【０００７】
筆記具のサヤ１の上端部に印鑑２を設けて、印影部３をキャップ４により開閉自在としたものにおいて、筆記具のサヤ部１に設けたクリップ５に、互いに内側に伏勢している二股状のバネ６の基部を取り付け、該バネ６の先端に設けた一対の離間した軸部７、７には印鑑２の印影部３を回動自在に開閉するキャップ４の軸受け部８を嵌合して軸承し、軸受け部８の両側縁はカム９となっていてバネ６の立ち上がり内側面１０に接触自在とし、このバネの内側面１０は、キャップ４の閉蓋時と開蓋時にはカム９の谷部１１、１１’に位置し、開閉動作時にはカム９の頂部１２を移動自在としたものである。
【実施例１】
【０００８】
クリップ４は、上端部にバネ６が挿入できる二股状の挿入部１３と、バネ６の基端部を掛止する掛止凹部１４を設けており、サヤ１に設けた取付穴１５、１５にクリップの取付片１６を挿通し止め金１７により固定するようになっている。
【０００９】
二股状のバネ６は自由端部が折り曲げられていて一対の離間した軸部７、７となっており、この軸部７、７とキャップ４の軸受部８が嵌合して回動自在であり、軸受部８の外側縁のカム９はバネ６の立ち上がり内側面１０と接しており、バネ６の押圧に抗してキャップ４を回動させるようにしてある。図中１８はリング。
【００１０】
本発明は以上のように構成されるもので、これを使用するには印影部３に被さっているいるキャップ４の縁を指先でバネ６に抗して中間まで押し上げることにより、カム９は谷部１１、頂部２と移動し、後はバネ６の内側面１０がカム９を押圧し自動的に次の谷部１１’に移動し印影部の露呈した状態を維持する。
【００１１】
キャップ４を閉じるときは、逆に空いているキャップ５をバネ６に抗して回動させることによりバネ６の内側面１０が谷部１１’、頂部１２と移動し、後はバネ６の内側面１０がカム９を押圧し自動的に次の谷部１１に移動し、キャップ４が印影部３を押圧状態で覆い、この状態を維持する。
【産業上の利用可能性】
【００１２】
以上は印鑑付筆記具として印鑑のキャップ装置について説明してきたが、印鑑単独の「サヤ」に具現することもできる。
【図面の簡単な説明】
【００１３】
【図１】本発明に係る印鑑キャップ装置に正面説明図
【図２】キャップを開いた状態の側面説明図
【図３】カムとバネとの移動関係を示した展開説明図
【図４】サヤとクリップ、バネの組合せ状態を示す断面説明図
【図５】図４のＡ−Ａ線断面説明図
【符号の説明】
【００１４】
１：サヤ
２：印鑑
３：印影部
４：キャップ
５：クリップ
６：バネ
７：軸部
８：軸受部
９：カム
１０：谷部
１１’：谷部
１２：頂部
１３：挿入部
１４：掛止凹部
１５：取付穴
１６：取付片
１７：止め金
１８：リング
【図１】
2005041102.tif 000003
【図２】
2005041102.tif 000004
【図３】
2005041102.tif 000005
【図４】
2005041102.tif 000006
【図５】
2005041102.tif 000007
(57)【要約】【課題】内容物の減少に伴い、縮小して残存した内容物を保管できる紙箱を提供する。【解決手段】底板１の周囲に各一対の端板２及び側板３を連設し、隣接する端板２と側板３とを繋ぎ合わせた紙箱において、底板１の中間部両側縁間に亘って２本の平行な横折罫線５を入れ、各横折罫線５の両端から一対の側板３の端縁にかけてＶ字状に間隔が広がるように、山折罫線６と谷折罫線７とを交互に配して入れる。内容物が減少したとき、底板１を横折罫線５に沿って折り曲げると共に、両側板３を各山折罫線６と谷折罫線７とに沿って折り重ね、端板２同士を重ねると、容積を半分以下に縮小して、嵩張らない状態で残存した内容物を保管することができる。【選択図】図２
2005041532.tif 000002
【特許請求の範囲】
【請求項１】
底板の周囲に各一対の端板及び側板を連設し、隣接する端板と側板とを繋ぎ合わせた紙箱において、底板の中間部両側縁間に亘って２本の平行な横折罫線を入れ、各横折罫線の両端から一対の側板の端縁にかけてＶ字状に間隔が広がるように、山折罫線と谷折罫線とを交互に配して入れたことを特徴とする縮小可能箱。
【発明の詳細な説明】
【技術分野】
【０００１】
この発明は、内容物の減少に伴い、縮小できるようにした紙箱に関するものである。
【背景技術】
【０００２】
一般に、商品のギフト用の包装に際しては、二重構造の周壁を有する本体と、この本体に被せる蓋とからなる紙箱を使用する。このような箱では、商品を必要な数量だけ順次取り出して使用する場合、商品の残量が減っても、本体及び蓋の大きさを変えることができないため、そのままの大きさで残存した商品を保管しなければならない。
【発明の開示】
【発明が解決しようとする課題】
【０００３】
しかしながら、上記のように、大きなままの箱で残存した商品を保管すると、収納庫や棚などのスペースを有効に利用できないという問題がある。
【０００４】
そこで、この発明は、内容物の減少に伴い、縮小して残存した内容物を保管できる紙箱を提供することを課題とする。
【課題を解決するための手段】
【０００５】
上記課題を解決するため、この発明は、底板の周囲に各一対の端板及び側板を連設し、隣接する端板と側板とを繋ぎ合わせた紙箱において、底板の中間部両側縁間に亘って２本の平行な横折罫線を入れ、各横折罫線の両端から一対の側板の端縁にかけてＶ字状に間隔が広がるように、山折罫線と谷折罫線とを交互に配して入れたのである。
【発明の効果】
【０００６】
この箱では、内容物が減少したとき、底板を横折罫線に沿って折り曲げると共に、両側板を各山折罫線と谷折罫線とに沿って折り重ね、端板同士を重ねると、容積を半分以下に縮小して、嵩張らない状態で残存した内容物を保管することができる。また、内容物がなくなった後、小物の収納等、他の用途に使用することもできる。
【発明を実施するための最良の形態】
【０００７】
以下、この発明の実施の形態を添付図面に基づいて説明する。
【０００８】
図１に示すように、この紙箱は、ビール缶Ｃの収納に使用されるものであり、二重構造の周壁を有する本体Ｂと、これに被せる蓋Ｌとから構成される。蓋Ｌは、底板１の周囲に各一対の端板２及び側板３を連設し、隣接する端板２と側板３とを、端板２の側縁から延出した折曲片４を介し繋ぎ合わせて形成されている。
【０００９】
この蓋Ｌには、底板１の中間部両側縁間に亘って２本の平行な横折罫線５が入れられ、各横折罫線５の両端から一対の側板３の端縁にかけてＶ字状に間隔が広がるように、山折罫線６と谷折罫線７とが交互に配して入れられている。山折罫線６及び谷折罫線７には切目が断続して入れられ、切目のピッチは山折罫線６よりも谷折罫線７が細かくなっている。
【００１０】
この箱では、本体Ｂのビール缶Ｃの残本数が半分になったとき、図２及び図３に示すように、上下反転した蓋Ｌにビール缶Ｃを移し、蓋Ｌの底板１を横折罫線５に沿って折り曲げると共に、両側板３を各山折罫線６と谷折罫線７とに沿って折り重ね、端板２同士を重ねると、容積が半分以下に縮小されるので、嵩張らない状態で残存したビール缶Ｃを保管することができる。
【００１１】
また、ビール缶Ｃがなくなった後には、上記のように縮小可能な蓋Ｌを、小物の保管や輸送に再利用することもできる。
【００１２】
なお、この実施形態では、蓋Ｌを縮小できるようにしたが、本体Ｂの周壁が一重である場合には、本体Ｂを上記と同様の罫線により縮小できるようにしてもよい。
【図面の簡単な説明】
【００１３】
【図１】この発明に係る縮小可能箱の本体と蓋とを示す斜視図
【図２】同上の蓋の縮小過程を示す斜視図
【図３】同上の蓋の縮小状態を示す斜視図
【符号の説明】
【００１４】
１  底板
２  端板
３  側板
４  折曲片
５  横折罫線
６  山折罫線
７  谷折罫線
【図１】
2005041532.tif 000003
【図２】
2005041532.tif 000004
【図３】
2005041532.tif 000005
(57)【要約】      （修正有）【課題】片手で使用でき、またラップに皺が出来たり、ラップ同士付着したりしない、使用後ラップが逆戻りしないラップ保持具を提供する。【解決手段】ラップの心棒を保持できるように形成された基板と、箱の側面を挟むようにＮ字方に折りたたんだ基板、並びにラップの引き出しをサポートする、回転パイプ等を取り付けたラップの箱に、更に前面上部中央に短いゴム紐を貼付する。このゴム紐と蓋の裏側にあるラップの切り端とを一緒に掴み引くことにより、ラップを容易に引き出すことが出来、そのまま使用できるので、その都度蓋を開ける必要が無く衛生的である。【選択図】図４
2005041569.tif 000002
【特許請求の範囲】
【請求項１】
ラップの箱の側面を挟み、ラップの心棒を箱の内側側面で保持し、切り刃の付いた蓋が持ちあがり難くするための折返しを設け、更にラップの引き出しを容易にするため、回転パイプを取り付けた、ラップ保持、及び壁面取り付け器具
【発明の詳細な説明】
【技術分野】
【０００１】    この発明の器具を使用することにより卓上にスタンド枠で立て使用したり、壁面に取り付けたりして使用でき、また使用にあたり、その都度ラップの箱の蓋を開けることなく、使用できるので誠に衛生的である。
【背景技術】
【０００２】  従来ラップを使用する場合は、片手にラップの箱を持ちながら、切り刃の付いた箱の蓋を抑え、片手でラップを引き出し、両手で捩じり切るようにして使用していた。
【発明の開示】
【発明が解決しようとする課題】
【０００３】これには次のような欠点があった。
イ．ラップの入った箱を片手に持ち、箱の蓋を開けた状態でラップを引き出していたので、しばしばラップが箱から外に引き出されていた。特にラップの残量が少なくなると軽くなるのでこの状態は顕著である。
ロ  ラップを引き出すとき、ラップが箱の前面に引き寄せられ、そのままの状態で蓋が閑められ、更に箱の前面を下向きにして箱を持ち、その手と、ラップの切り端を持つ手とで、捩じ切るような状態で切り取っていたので、箱が通常の状態に戻ったとき、中のラップも前面に引き寄せられていたのが、戻るため、切り端が箱の中に引き込まれていた
ハ  片手にラップの箱を、片手にラップの引き出した切り端を持ち、両手で捩じり切るような状態で切るため、空気抵抗でラップに皴が寄り易かった。
ニ  両手でラップの切り端を持って、切り千切ることが出来ない欠点があった。
本発明は以上の欠点を解決するためになされたものである。
【課題を解決するための手段】
【０００４】  ラップを収納する箱の側面内側の幅とほぼ同じで、長さは３倍より若干長くした、厚さ１ミリほどの樹脂製の基板を用いる。この基板の端より箱の側面の大きさと同じ大きさの範囲内に、ラップの心棒が軽く入る程度の穴（２）を開ける。次に（１）の基板を（３）のように箱の側面とほぼ同じ大きさで、Ｎ字形に三枚に折りたたむ。三枚目の終わりの切断面を（６）のように数ミリ内側に折り曲げる。Ｎ字形に三枚に折りたたんだ基板の（３）と（４）で箱の側面を挟み、（４）と（５）の基板で蓋の側面（１１）を挟むと共に、蓋の上部を抑える。次に蓋を閉めやすくするために、各基板の箱の奥に当たる上部角を半円形に削る。更にラップを引き出すときに、サポーターの役目する回転パイプ（７）を取り付けるため、各基板の前面上部の角（８）の位置に小穴を開け、回転パイプの心棒となる小螺子（９）を取り付ける。三枚目の基板の外面にはラップの箱と箱を載せる外枠とを止めるスプリング止め（１０）を設ける。更に箱には前面の中央上部に小さな穴（１２）を開け、ラップを引き出し易くするために、箱の内側より短いゴム紐（１３）を通す。この場合ゴム紐が抜けないように端を止めておく。基板は箱の両側に取り付けるため同じようにいま一組作る。
【発明の効果】
【０００５】  本発明を使用することにより、ラップを切り離す際、箱の蓋を開けて引き出すことなく、蓋をしたままの状態で使用することが出来る。また壁掛けあるいは、卓上スタンド型として使用する場合は、箱を手に持つ必要が無いので両手が自由に使える。両手が使えるのでラップに皴が寄りにくく、ラップ同士付着しにくい
【発明を実施するための最良の形態】
【０００６】  以下、本発明の実施の形態について、図１を用いて説明する。基板の幅はラップの入った箱の側面内側の幅とほぼ同じ大きさで、長さは、３倍より若干長い長方形で、厚さは１ミリほどの樹脂製の基板を用いる。この基板の端より箱の側面の大きさと同じ大きさの範囲内に、ラップの心棒が軽く入る程度の穴（２）を開ける。更にこの基板を側面の大きさを基準に、Ｎ字形に（３）（４）（５）のように三枚の基板に折りたたむ。三枚目の基板（５）の端の切断面を（６）のように数ミリ内側に折り曲げる。折りたたんだ基板（３）に開けた穴（２）でラップラップの心棒を保持し、（３）の基板と（４）の基板で、箱の側面を挟み、（４）と（５）の基板で蓋の側面（１１）を挟むと共に、切るときに切り刃の付いた蓋が引き上げられるのを（６）の折り曲げで抑える。次に、箱の蓋を閉めやすくするために，箱の奥に当たる上部角を半円形に削る。更に基板（５）の外側に壁面取り付け枠やスタンド用枠等を利用する場合に、基板とこれらの外枠とを固定するためのスプリング止め（１０）を取り付ける。また各基板の前面上部の角（８）の位置に穴を開け、パイプの軸となる小螺子（９）を取り付け、その軸にラップを引き出すときのサポーター役となる回転パイプ（７）を取り付ける。
次に箱の前面中央の上部に小さな穴（１２）を開け、短いゴム紐（１３）を箱の内側より通す。この場合抜け出ないように一端を留めておく。ラップを引き出すとき，ゴム紐を軽く持ち上げながら、蓋の裏側にあるラップの切り端を同時に掴み、ゴム紐ごと引くことにより、ラップが容易に引き出しやすくなる。
【産業上の利用可能性】
【０００７】
【図面の簡単な説明】
【０００８】
【図１】本発明の基板
【図２】本発明の基板をＮ字形に折りたたむ作成過程斜視図
【図３】本発明の基板と回転パイプとの組み立て斜視図
【図４】本発明の基板等のラップ箱への取り付け斜視図
【符号の説明】
【０００９】１    基板
２    心棒を保持する穴
３    基板
４    基板
５    基板
６    折り曲げ
７    回転パイプ
８    螺子穴
９    小螺子
１０  スプリング止め
１１  蓋側面
１２  ゴム紐通し穴
１３  ゴ厶紐
１４  スプリング
【図１】
2005041569.tif 000003
【図２】
2005041569.tif 000004
【図３】
2005041569.tif 000005
【図４】
2005041569.tif 000006
(57)【要約】【課題】開封しても帯状部が分離しないシュリンクフィルム包装体を提供する。【解決手段】一軸延伸したフィルム１により被包装物を包み込み、フィルム１を熱収縮させて被包装物に密着させ、切込２を入れて形成した摘み部３からフィルム１を延伸方向へ帯状部５をなすように引き裂いて開封するシュリンクフィルム包装体において、帯状部５の両側縁が到達する部分をそれぞれ横切るように、間隔をおいて切目４を入れる。帯状部５の両側縁が切目４に達した時点で、その切断の進行が停止し、一対の切目４間の繋がりにより、帯状部５は被包装物を包むフィルム１の本体部と分離することがなく、これらを一体のゴミとして廃棄することができる。【選択図】図３
2005041562.tif 000002
【特許請求の範囲】
【請求項１】
一軸延伸したフィルムにより被包装物を包み込み、フィルムを熱収縮させて被包装物に密着させ、切込を入れて形成した摘み部からフィルムを延伸方向へ帯状部をなすように引き裂いて開封するシュリンクフィルム包装体において、前記帯状部の両側縁が到達する部分をそれぞれ横切るように、間隔をおいて切目を入れたことを特徴とするシュリンクフィルム包装体。
【発明の詳細な説明】
【技術分野】
【０００１】
この発明は、飲料や食品缶の集合包装などに使用されるシュリンクフィルム包装体に関するものである。
【背景技術】
【０００２】
従来、下記特許文献１に記載されたように、一軸延伸フィルムにより被包装物を包み込み、フィルムを熱収縮させて被包装物に密着させたシュリンクフィルム包装体において、フィルムの一端からやや離れた位置に切込を入れて摘み部を形成し、この摘み部からフィルムを他端縁まで延伸方向へ帯状に引き裂いて開封するようにしたものが知られている。
【０００３】
【特許文献１】実公昭５５−３０８０５号公報
【発明の開示】
【発明が解決しようとする課題】
【０００４】
しかしながら、上記のような包装体では、開封に伴い引き裂かれた帯状部が、被包装物を包むフィルムの本体部から分離して、本体部とは別のゴミとして散逸してしまうことがあり、この場合、帯状部を拾って捨てなければならないという問題があった。
【０００５】
そこで、この発明は、開封しても帯状部が分離しないシュリンクフィルム包装体を提供することを課題とする。
【課題を解決するための手段】
【０００６】
上記課題を解決するため、この発明は、一軸延伸したフィルムにより被包装物を包み込み、フィルムを熱収縮させて被包装物に密着させ、切込を入れて形成した摘み部からフィルムを延伸方向へ帯状部をなすように引き裂いて開封するシュリンクフィルム包装体において、前記帯状部の両側縁が到達する部分をそれぞれ横切るように、間隔をおいて切目を入れたのである。
【発明の効果】
【０００７】
上記のような切目を入れると、帯状部の両側縁が切目に達した時点で、その切断の進行が停止し、切目間の繋がりにより、帯状部は被包装物を包むフィルムの本体部と分離することがなく、これらを一体のゴミとして廃棄することができる。
【発明を実施するための最良の形態】
【０００８】
以下、この発明の実施の形態を添付図面に基づいて説明する。
【０００９】
図１に示すように、このシュリンクフィルム包装体は、一軸延伸された熱収縮性のフィルム１により６本の飲料缶Ｃを包み込み、フィルム１を熱収縮させて缶Ｃに密着させ、これらの缶Ｃを集合包装するものである。
【００１０】
缶Ｃの上部側において、フィルム１の一側部には、Ｕ字状の切込２がフィルム１の延伸方向である他側へ向けて入れられ、その内側に摘み部３が形成されている。フィルム１の他側部には、切込２の両端からの延長線をそれぞれ横切るように、間隔をおいて一対の切目４が入れられている。
【００１１】
このフィルム１を熱収縮させる前の状態においては、図２に示すように、切込２及び切目４は、それぞれフィルム１の一方及び他方の側縁からやや離れた部分に位置しており、図１に示すように、６本の缶Ｃを並べて包装する際、フィルム１の両端部が缶Ｃの下側で重ね合わされて熱溶着される。
【００１２】
いま、このようなシュリンクフィルムの包装体を開封する際には、熱収縮に伴い若干浮き上がった摘み部３を摘み、図３に示すように、フィルム１を他側へ向けて帯状部５をなすように引き裂く。このとき、フィルム１は、延伸方向へ裂けやすい性質を有しているので、帯状部５が途中で切れることなく、フィルム１が切断される。
【００１３】
そして、帯状部５の両側縁が切目４に達した時点で、その切断の進行が停止するので、この状態で、帯状部５による裂目からフィルム１を両側へ開くようにして、包装体の内部から缶Ｃを取り出す。
【００１４】
このように開封した包装体では、一対の切目４間の繋がりにより、帯状部５が６本の缶Ｃを包むフィルム１の本体部と分離することなく繋がっているので、フィルム１の本体部と帯状部５とを一体のゴミとして廃棄することができる。
【００１５】
また、この包装体は、フィルム１の性質に従って、その延伸方向に引き裂いて開封するものであり、帯状部５の全長に亘るミシン目等の弱め線を入れていないので、従来の包装体に比べて、包装状態での強度が低下することはない。
【００１６】
さらに、開封用の摘み部３を、フィルム１の側縁から張り出すことなく、フィルム１の内部に切込２を入れて形成しているので、材料を有効に使用することができ、コストの増加を伴うことなく製造することができる。
【図面の簡単な説明】
【００１７】
【図１】この発明に係るシュリンクフィルム包装体の包装状態を示す斜視図
【図２】同上のフィルムの熱収縮前の状態を示す図
【図３】同上の包装状態からの開封過程を示す斜視図
【符号の説明】
【００１８】
１  フィルム
２  切込
３  摘み部
４  切目
５  帯状部
【図１】
2005041562.tif 000003
【図２】
2005041562.tif 000004
【図３】
2005041562.tif 000005
(57)【要約】【課題】バッグや鞄を同時に携帯する手間を省き、筆箱や衣類のポケットに入れられるサイズで、クリップ付きペン型のスプレーを提供する。【解決手段】１．スプレーが筆箱や衣類のポケットに入れられるサイズ、形状がクリップ付きペン型であることを特徴とする。【選択図】図１
2005041568.tif 000002
【特許請求の範囲】
【請求項１】
筆箱や衣類のポケットに入れられるサイズ、クリップのついたペン型の形状を特徴とするスプレー。
【発明の詳細な説明】
【技術分野】
【０００１】本発明は、スプレーに関するものである。
【背景技術】
【０００２】従来は、クリップ付きでペン型のサイズ、形状のスプレーはなかった。【０００３】
【特許文献１】特開２００１−１４６２７９号公報
【発明の開示】
【発明が解決しようとする課題】
【０００４】従来のスプレーは携帯するためにバッグや鞄を同時に携帯する必要があった。
本発明は、この課題を解消するためになされたものである。
【課題を解決するための手段】
【０００５】スプレーを筆箱や衣類のポケットに入れられるサイズにして、クリップを付け、形状をペン型にする。
【発明の効果】
【０００６】バッグや鞄がなくともスプレーを携帯でき、また、素早く取り出すことができる。
【図面の簡単な説明】
【図１】  本発明の正面図である。
【図２】  本発明の横面図である。
【符号の説明】
１  スプレー口
２  クリップ
３  スプレー管
【図１】
2005041568.tif 000003
【図２】
2005041568.tif 000004
(57)【要約】【課題】移動体無線機用半導体集積回路装置の送信回路の外付け負荷インダクタ出力端子における優れた高周波特性を有する保護回路を提供する。【解決手段】外付け負荷インダクタ３がつながった出力端子４に２段以上直列に接続されるプラス側サージ保護ダイオード４１〜４５を出力端子４に近い方は少ない並列数にし、電源端子５に近付くに従って並列数を増加させる。このことによって、サージ保護効果を劣化させることなく出力端子４の寄生容量を減らし高周波特性を改善することが出来る。【選択図】図２
2005252131.tif 000002
【特許請求の範囲】
【請求項１】
出力端子と電源端子との間に接続される外付け負荷インダクタと、
前記出力端子にアノード側が接続される第１のサージ保護ダイオードと、
前記第１のサージ保護ダイオードのカソード側にアノード側が接続され且つ第１のサージ保護ダイオードよりも並列数の多い第２のサージ保護ダイオードと、
前記第１、第２のサージ保護ダイオードと同じ接続で且つ前段よりも後段の方が並列数の多い第ｎまでのサージ保護ダイオードと
前記第ｎのサージ保護ダイオードのカソード側に接続される電源端子とを備えていることを特徴とする半導体集積回路装置の保護回路。
【発明の詳細な説明】
【技術分野】
【０００１】
本発明は移動体無線機用の半導体集積回路装置に関し、特に送信回路の外付け負荷インダクタ出力端子における優れた高周波特性を有する保護回路に関する。
【背景技術】
【０００２】
近年、移動体無線機用の半導体集積回路装置では高周波化、低電圧化及び高出力化に伴って、送信回路の出力端子に外付け負荷インダクタを用いて、基準電位を電源電圧にすることにより低電圧で且つ高出力を実現する技術が提案されている。
【０００３】
尚、このような技術は特許文献１に開示されている。
【特許文献１】特開昭５８−１７１６０２号公報
【発明の開示】
【発明が解決しようとする課題】
【０００４】
図３は、従来例の構成回路図である。
【０００５】
図３において、出力端子４に外付け負荷インダクタ３を接続する場合、出力端子４の電位が信号出力振幅によって電源端子５よりも高い電位になることがあるため、プラス側サージ保護ダイオード５１〜５６を２段以上直列に接続する必要が生じ、この時サージ保護効果を得るためにサージ保護ダイオード５１〜５６を並列にしなければならず、寄生容量が増加し高周波特性が劣化する問題が起きる。
【０００６】
前記に鑑み、本発明は、外付け負荷インダクタ３の接続される出力端子４のプラス側サージ保護ダイオード５１〜５６のサージ保護効果を劣化させることなく、寄生容量を減らし高周波特性を向上させることを目的とする。
【課題を解決するための手段】
【０００７】
前記の目的を達成するため、本発明に係る半導体集積回路装置の外付け負荷インダクタ出力端子では、プラス側サージ保護ダイオードを出力端子に近い方は少ない並列数にし、電源端子に近付くに従って並列数を増加させる特徴を備えている。
【発明の効果】
【０００８】
本発明に係る半導体集積回路装置の外付け負荷インダクタ出力端子の保護回路によると、最も高周波特性の劣化する出力端子側に少ないサージ保護ダイオードを接続しているために寄生容量が減らせられ高周波特性を改善でき、高周波特性に影響の少ない電源端子側でサージ保護ダイオードを増やすことでサージ保護効果を劣化させない。
【発明を実施するための最良の形態】
【０００９】
（第１の実施形態）
以下、本発明の第１の実施形態に係る半導体集積回路装置の保護回路について、図面を参照しながら説明する。
【００１０】
図１は本発明の一実施形態の構成回路図である。図１において１はエミッタ接地アンプを構成するＮＰＮトランジスタで、２はＮＰＮトランジスタ１のベースに接続する信号入力端子、３はＮＰＮトランジスタ１のコレクタと電源端子５との間に接続される外付け負荷インダクタで、４はＮＰＮトランジスタ１のコレクタに接続される出力端子である。
【００１１】
また、３１〜３６はＮＰＮトランジスタ１のコレクタと電源端子５との間に接続されたサージ保護ダイオードで、３段の直列接続で、ＮＰＮトランジスタ１のコレクタ側から保護ダイオード３１が１個、保護ダイオード３２〜３３が２個並列、保護ダイオード３４〜３６が３個並列で構成されている。
【００１２】
第１の実施形態によると、図３の従来例では出力端子４に接続されるサージ保護ダイオードは５１と５２の２個であるのに対して、本発明ではサージ保護ダイオード３１が１個であるため出力端子４につながる寄生容量は１／２に低減する。また電源端子５に接続されるサージ保護ダイオードは従来例では５５と５６の２個であるのに対して、本発明ではサージ保護ダイオード３４〜３６の３個になるが、出力端子４からはサージ保護ダイオード３１〜３３を介してつながっているので高周波特性を劣化させる影響は少ない。よって出力端子４から見たサージ保護ダイオードの寄生容量は低減し高周波特性は改善できる。
【００１３】
（第２の実施形態）
図２は第１の実施形態から、サージ保護ダイオード４１〜４５の直列数をｎ段にし、ｎ段目の並列数をｍ個にした場合の一実施形態の構成回路図である。
【００１４】
第２の実施形態によると、信号出力振幅の大きさに対応してサージ保護ダイオード４１〜４５の直列数を任意に設定できる。
【産業上の利用可能性】
【００１５】
以上説明したように、本発明は、送信回路の外付け負荷インダクタ出力端子における優れた高周波特性を有する保護回路を形成する方法等に有用である。
【図面の簡単な説明】
【００１６】
【図１】本発明の半導体集積回路装置の保護回路の第１の実施形態の構成回路図
【図２】本発明の半導体集積回路装置の保護回路の第２の実施形態の構成回路図
【図３】従来例の半導体集積回路装置の保護回路の構成回路図
【符号の説明】
【００１７】
１  ＮＰＮトランジスタ
２  信号入力端子
３  外付け負荷インダクタ
４  出力端子
５  電源端子
３１〜３６  サージ保護ダイオード
４１〜４５  サージ保護ダイオード
５１〜５６  サージ保護ダイオード
【図１】
2005252131.tif 000003
【図２】
2005252131.tif 000004
【図３】
2005252131.tif 000005
(57)【要約】      （修正有）【課題】販売形態からみて包装販売が困難な書籍に、包装紙に貼り付けるのではなく、書籍そのものに取り付け、取り外し可能な万引防止用タグを提供する。【解決手段】書籍に万引き防止用タグを熱可塑性接着剤で取り付けておき、販売時に同接着剤を加熱して同タグを取り外し購入客に渡すことを特徴とする。この手段は製本時、流通段階を問わず、在庫品にも適用が出来る。書籍内部にタグを取り付けることにより、書籍の外観からはタグの存在を知ることは出来ないし、取り外した場合にはその痕跡を最小限にすることにより、商品価値を下げることはない。【選択図】図１
2005025707.tif 000002
【特許請求の範囲】
【請求項１】
書籍に万引き防止用タグを熱可塑性接着剤を加熱して取り付け、加熱して取り外す万引き防止用タグの着脱方法
【請求項２】
上記万引き防止用タグの着脱を実行するための装置
【発明の詳細な説明】
【発明の詳細な説明】
【技術分野】
【００１】この発明は書籍の万引き防止のために、検出装置用の万引き防止用タグを熱可塑性接着材で着脱する方法に関するものである。
【背景技術】
【００２】従来は、万引き防止に有効な商品管理タグを、製本後、即ち、流通段階や在庫の書籍に、その外観を損なうことなく着脱させる手段はなかった。
「特許公開２００２−３３７４８２」では万引き防止タグ及びＩＣタグを表紙などに備える手段が公開されているが、取り外しについては言及していない。
【発明が解決しようとする課題】
【００３】書籍は内容を見てから購入を決定する販売形式が主体であり、他の商品のように包装紙に万引き防止用タグを取り付ける方法は考えられない。製本時に限らず流通段階や在庫の書籍に適用出来、かつ外観を損なわない商品管理タグの着脱による万引き防止策が最大の課題である。
【課題を解決するための手段】
【００４】本発明では万引き防止用タグを、耐熱プラスチックフィルムに貼り付け、このフィルムを販売前に熱可塑性の接着剤で書籍に取り付ける。販売にあたっては熱可塑性接着剤を加熱して耐熱プラスチックフィルムごと、タグを取り外す。もし、お客がタグを外して貰わないで、即ち、対価を支払わないで不正に、書店の出口から外に出る時、出口の検出装置による警告が出る。
【発明を実施するための最良の形態】
【００５】以下、本発明の実施の形態について説明する。
書籍（１）に、万引き防止用タグ（２）を貼り付けた耐熱プラスチックフィルム（３）をヒーター（４）により熱可塑性接着剤（５）を溶かして取り付ける。余分な接着剤のはみ出しを防ぐのが側板（６）と（７）である。取り外す場合は側板（６）と（７）で書籍を押さえ、ヒーター（４）により熱可塑性接着剤（５）を溶かして万引き防止用タグ（２）を貼り付けた耐熱プラスチックフィルム（３）を取り外す。耐熱プラスチックフィルム（３）は万引き防止用タグ（２）を構成する材料でもよく、ハサミなどによる切り取りを防ぐ金属線などが入った材料がより万引き防止効果を上げる。
【発明の効果】
【００６】万引き防止用タグを書籍の販売前に、必要な書籍にのみ適用が出来る。外観上、タグの内蔵が見えないこと、また、タグを取り外した場合はその痕跡を最小限にすることにより、書籍の商品価値を下げることはない。万引き検出が可能となると、それ自体が万引き防止に効果が出て来る。流通段階や在庫の書籍、さらには古本の場合でも適用ができる。
【図面の簡単な説明】
【図１】  本発明の斜視図である。
【図２】  本発明の詳細を示す側面図である。
【符号の説明】
１  書籍
２  万引き防止用タグ
３  耐熱プラスチックフィルム
４  ヒーター
５  熱可塑性接着剤
６  側板
７  側板
【図１】
2005025707.tif 000003
【図２】
2005025707.tif 000004
(57)【要約】【課題】映画等を上映する移動自在な映写システムを提供する。【解決手段】映写システムは、映写装置１０とスクリーン装置１００を備え、映写機３０の投写光Ｒ１をスクリーン上に映写する。スクリーン装置１００はフレーム１１０を有し、キャスター１３０を取付けてある。フレーム１１０内に筐体１６０を設け、前面パネルにスピーカー１５０を取付け、床パネル１６４上に映像・音響送出装置３００を搭載する。スピーカー１５０の前面にスクリーン２００を取付けて、投写光Ｒ１を映写する。映写装置１０とスクリーン装置１００は、任意の位置に移動できる。【選択図】        図１
2005025046.tif 000002
【特許請求の範囲】
【請求項１】
パイプ等の部材で構成されるフレームと、フレームの底部に取付けられてフレームを移動自在とするキャスターと、フレーム内部に装備される筐体と、筐体の前面ボードに取付けられるスピーカーと、筐体の床ボード上に載置される映像・音響の送出装置と、フレームに対して紐で固定されるスクリーンと、
を備えるスクリーン装置。
【請求項２】
スクリーンの周囲を覆うマスクを備える請求項１記載のスクリーン装置。
【請求項３】
移動自在のフレームと、フレーム上に載置される映写機を備える映写装置と、請求項１又は２記載のスクリーン装置を備える映写システム。
【発明の詳細な説明】
【０００１】
【発明の属する技術分野】
本発明は、映写機が投映される画像を受光する映像のスクリーン装置と、このスクリーン装置を用いる映写システムに関する。
【０００２】
【従来の技術】
一般に、映画等の大型の映像を上映する際に、映写機とスクリーン、スピーカー、映像・音響の送出装置をそれぞれ個別に配置し、調整する必要がある。
下記の特許文献１は、スピーカーを備えた映像用スクリーン装置を開示している。
【０００３】
【特許文献１】
特開平９−３２９８４４号公報
【０００４】
【発明が解決しようとする課題】
本発明は、映画館用等の大型のスクリーンを備え、必要な機材を一体化して移動可能としたスクリーン装置及び映写システムを提供するものである。
【０００５】
【課題を解決するための手段】
本発明のスクリーン装置は、パイプ等の部材で構成されるフレームと、フレームの底部に取付けられてフレームを移動自在とするキャスターと、フレーム内部に装備される筐体と、筐体の前面ボードに取付けられるスピーカーと、筐体の床ボード上に載置される映像・音響の送出装置と、フレームに対して紐で固定されるスクリーンと、を備える。また、スクリーンの周囲を覆うマスクを備える。
そして、本発明の映写システムは、移動自在のフレームと、フレーム上に載置される映写機を備える映写装置と、請求項１又は２記載のスクリーン装置を備えるものである。
【０００６】
【発明の実施の形態】
図１は、本発明のスクリーン装置と映写装置を有する映写システムを示す説明図、図２はスクリーン装置の側面図である。
全体を符号１０で示す映写装置は、フレーム２０上に載置された映写機３０を有する。
フレーム２０の下部には、キャスター２２が取付けてあり、映写装置１０を任意の位置に移動させることができる。
【０００７】
全体を符号１００で示す本発明のスクリーン装置は、フレーム１１０を有し、フレーム１１０はパイプ等の構造部材１１２と継手部材１１４により必要な形状に組立てられる。
フレームの底部には、４個のキャスター１３０が取付けてあり、スクリーン装置１００を任意の位置に移動可能にしてある。
【０００８】
このフレーム１１０の内部にボード部材でつくられる筐体１６０が取付けられる。
筐体１６０は、天井パネル１６１、前面パネル１６２、背面パネル１６３、両面パネル１６５、１６６を有し、必要な部分に床パネル１６４が設けられる。
筐体１６０の前面パネル１６２には、適当な寸法の開口部が形成され、スピーカー１５０が開口部を貫通して取付けられる。
【０００９】
本実施例にあっては、３台のスピーカー１５０が示されているが、前面パネルに装備されるスピーカーの台数は、スクリーンの大きさに応じて適宜に選択される。
さらに、重低音用スピーカー１５２もキャスター１５４付きで用意される。
【００１０】
前面のフレーム１１０には、スクリーン２００がスクリーン２００の周囲に張られる紐２２０により固定される。
映写機３０からの映写光Ｒ１は、スクリーン２００に投映され、画面として表示される。
【００１１】
フレーム１１０の内側には、適宜なボード部材で構成される筐体１６０が装備され、筐体１６０の床パネル１６４上には、映像・音響の送出装置３００が載置される。
筐体１６０の前面パネル１６２には、スピーカー１５０が取付けられる。
【００１２】
前部のフレーム１１０に対して、スクリーン２００がその周囲に張られる紐２２０により固定される。
フレーム１１０の上部に取付けられるる支持部材１７０には、上部マスク２７０が取付けられて、スクリーン２００の上部の紐２２０等を覆う。
スクリーン２００の下端部のフレームに対しても取付部材２４０を介して軸部材２５０が支持され、この軸部材２５０に下部マスク２６０が吊り下げられる。
スクリーン２００の両側にも、図示しないマスクが取付けられ、スクリーンの周囲の構造物を覆う。
【００１３】
支持部材１７０の前端部には、カーテンレール４１０が取付けられ、カーテン４００が吊り下げられる。このカーテン４００は、中央部から左右に開閉できるもので、スクリーン２００の保護を兼ねる。
カーテンレール４１０の前方には一文字幕５００が吊り下げられる。
【００１４】
【発明の効果】
本発明のスクリーン装置は、必要な機材を装備したユニットとして構成され、移動自在であるので、使用しないときには格納しておき、必要なときにのみ、使用場所に移動して映写スクリーンとして活用できる。
長距離の移動に際しては、部材を分解して搬送し、使用時に組立てることもできる。
また、映写装置も移動自在とすることで、より自由度の高い映写システムを構成することができる。
【図面の簡単な説明】
【図１】本発明の映写システムの説明図。
【図２】本発明のスクリーン装置の側面図。
【符号の説明】
１０  映写装置
３０  映写機
１００  スクリーン装置
１１０  フレーム
１３０  キャスター
１５０  スピーカー
１６０  筐体
２００  スクリーン
３００  映像・音響の送出装置
４００  カーテン
【図１】
2005025046.tif 000003
【図２】
2005025046.tif 000004
(57)【要約】【課題】  この発明は表示装置が標準で備えているスタンドを用いたまま表示装置の背面に支持部材を取付けて、表示装置の何処の位置にボタン類を設けてもボタン操作による表示画面のふらつきをなくし、タッチ式入力装置に関しては、タッチ式入力装置を備えていない表示装置が標準で備えているスタンドを用いることが出来る装置に関するものである。【解決手段】支持部材（２）に保持部材（１）と滑り止め部材（３）を設け薄手の固定部材をもちいて表示装置（５）の背面に取付け、滑り止め部材（３）を床や壁に接触させる。【選択図】  図１
2005025146.tif 000002
【特許請求の範囲】
【請求項１】
（イ）支持部材（２）の一端に滑り止め部材（３）を設ける。
（ロ）保持部材（１）の長穴に締結部材（４）を通し滑り止め部材（３）を設けた支持部材（２）の反対の一端に備え付ける。
（ハ）薄手の固定部材を用いて表示装置（５）裏面に保持部材（１）を取付ける。
（ニ）滑り止め部材（３）は表示装置（５）より後方の床面と接触させる。
以上の如く構成された、表示装置用補助スタンド。
【請求項２】
前記薄手の固定部材は締結部材である請求項１の表示装置用補助スタンド。
【請求項３】
前記支持部材（２）はスライド機構を有する支持部材（６）である請求項１の表示装置用補助スタンド。
【請求項４】
前記支持部材（２）は関節機構を有する支持部材（７）である請求項１の表示装置用補助スタンド。
【請求項５】
前記保持部材（１）は回転機構を有する保持部材（８）である請求項１の表示装置用補助スタンド。
【請求項６】
前記滑り止め部材（３）は回転機構を有する滑り止め部材（１０）である請求項１の表示装置用補助スタンド。
【発明の詳細な説明】
【発明の詳細な説明】
【技術分野】
【０００１】  この発明は表示装置の背面に取付けて表示装置に標準で備えているスタンドを用いたまま、表示装置に備えてあるボタン類の操作の際に生じる表示画面がふらつかない、またタッチ式入力装置を備えた表示装置であれば、タッチ式入力装置を備えていない表示装置が標準で備えているスタンドを用いて、タッチ入力操作を行っても、操作画面がふらつかない装置に関するものである。
【背景技術】
【０００２】  従来の表示装置では、表示画面ユニットと標準で備えているスタンドが僅かな範囲でしか連結しておらず、表示装置の筐体であっても連結部分から離れた位置にボタン類を設けると、そのボタンの操作中は連結部分に必要以上に力がかかる為、表示設置がふらつき、操作中の画面が見え難かった。【０００３】  また、タッチ式入力装置を備えた表示装置では、表示画面全域が操作範囲であるため、表示画面ユニットとスタンドの連結部分から離れた位置をタッチしても表示装置がふらつかないように可動が容易ではない専用スタンドを備える必要があった。
【発明が解決しようとする課題】
【０００４】  したがって、表示装置に設けるボタン類は、表示画面ユニットと標準で備えているスタンドとの連結部分に近い位置にしかボタンを設けることが出来ず、設置位置が限られていた。また、タッチ式入力装置を備えた表示装置においては、タッチ式入力装置を備えていない表示装置のスタンドを用いることが出来ずに、タッチ式入力装置用として専用のスタンドの設計、生産が必要になっていた。
【課題を解決するための手段】
【０００５】いま、その構成を説明すると、
（イ）支持部材（２）の一端に滑り止め部材（３）を設ける。
（ロ）長穴を設けた保持部材（１）と支持部材（２）を締結部材（４）により長穴を通して支持部材（２）に備え付ける。
（ハ）薄手の固定部材を用いて表示装置（５）裏面に保持部材（１）を取付ける。
（ニ）滑り止め部材（３）は表示装置（５）が置かれた面と接触させる。
以上のように装置する。
【発明を実施するための最良の形態】
【０００６】  次に発明の形態を述べると、表示装置（５）の背面に支持部材（２）を薄手の固定部材を用いて取付ける。表示画面の角度を決めて保持部材（１）に設けてある長穴の範囲内で支持部材（２）をスライドさせて位置を決める。滑り止め部材（３）を表示装置（５）後方の床面、もしくは壁などに接触させる。保持部材（１）と支持部材（２）を連結している締結部材（４）をしめることで表示画面の角度が固定される。【０００７】  支持部材（２）と滑り止め部材（３）の連結は関節構構でも良い。【０００８】  支持部のスライド部は数箇所にしても良い。【０００９】  支持部の関節部は数箇所にしても良い。【００１０】  前記支持部材の全部もしくは一部を、複数組み合わせても良い。
【発明の効果】
【００１１】  表示装置（５）に設けられているボタンを無造作に押しても表示画面がふらつかず、タッチ式入力装置であればタッチ式入力機能を備えていない表示装置とスタンドを共通化できるためタッチ式入力装置用として新たに、設計、生産する必要がない。
【図面の簡単な説明】
【図１】本発明の斜視図
【図２】本発明の使用斜視図
【図３】本発明の他の実施例の斜視図
【図４】本発明の他の実施例の斜視図
【図５】本発明の他の実施例の斜視図
【図６】本発明の他の実施例の斜視図
【符号の説明】
１    保持部材
２    支持部材
３    滑り止め部材
４    締結部材
５    表示装置
６    スライド機構を有する支持部材
７    関節機構を有する支持部材
８    回転機構を有する保持部材
９    支持部材と保持部材を連結する回転機構
１０  回転機構を有する滑り止め部材
【図１】
2005025146.tif 000003
【図２】
2005025146.tif 000004
【図３】
2005025146.tif 000005
【図４】
2005025146.tif 000006
【図５】
2005025146.tif 000007
【図６】
2005025146.tif 000008